(57)【要約】      （修正有）【課題】育苗コンテナを成形するための金型の耐久性が向上し、保管時や輸送時にコンパクトに積み重ねることが可能な育苗コンテナを提供する。【解決手段】上板１１の縁部には、下方に向かって延びる縁リブ１６、１７が形成されている。上板１１の下面には、上板１１の対角線方向に隣接する育成容器２の側面２２を連結する連結リブ３１が形成されている。隣接する右上がりの連結リブ３１と右下がりの連結リブ３１は、各々の中央部で交差している。連結リブ３１の高さは、縁リブ１６、１６の高さと同一に形成されている。【選択図】図４
0003205361.tif 000002
【実用新案登録請求の範囲】
【請求項１】
矩形平板状の上板と、
前記上板に縦方向及び横方向に格子状に一体的に形成され、下方に向かって縮径する複数の円錐状の育成容器と、
前記育成容器の最上部に形成された開口部と、
前記上板の下面に一体的に形成され、前記上板の対角線方向に隣接する前記育成容器の側面を連結する連結リブとを備えた
ことを特徴とする育苗コンテナ。
【請求項２】
請求項１に記載の育苗コンテナにおいて、
前記連結リブは、右上がりの連結リブと右下がりの連結リブが交差している
ことを特徴とする育苗コンテナ。
【請求項３】
請求項２に記載の育苗コンテナにおいて、
前記上板の縁部には、下方に向かって延びる縁リブが形成されている
ことを特徴とする育苗コンテナ。
【請求項４】
請求項３に記載の育苗コンテナにおいて、
前記上板の長い方の辺に形成された縁リブの高さが短い方の辺に形成された縁リブの高さよりも高く形成されている
ことを特徴とする育苗コンテナ。
【請求項５】
請求項４に記載の育苗コンテナにおいて、
前記上板の長い方の辺に形成された縁リブの高さが前記連結リブの高さと同一に形成されている
ことを特徴とする育苗コンテナ。
【請求項６】
請求項１に記載の育苗コンテナにおいて、
前記育成容器の側面及び底面には空気根切り孔が形成されている
ことを特徴とする育苗コンテナ。
【考案の詳細な説明】
【技術分野】
【０００１】
本考案は、苗木を育てるための多数の育成容器が一体的に成形された合成樹脂製の育苗コンテナに関し、特に、育苗コンテナを成形するための金型の耐久性が向上し、輸送時にコンパクトに積み重ねることが可能な育苗コンテナに関する。
【背景技術】
【０００２】
育苗や植栽の省力化、合理化を目的として、苗木を育てるための多数の育成容器が一体的に成形された合成樹脂製の育苗コンテナが使用される。この育苗コンテナは、根鉢が細長い形状でサイズも小さいので、大きな穴を掘る必要がなく、根付け作業が効率的に行える利点がある。また、この育苗コンテナは、苗の根巻きや変形が生じないようにするために、育成容器の底面に粗い格子状の空気根切り孔が形成されている。そして、この育苗コンテナで苗木を育てる際には、空気根切りを行うために、育成容器の底面と地面との間に所定の空間を空けるようにしている。
【０００３】
図６から図１０は特許文献１に開示された従来の育苗コンテナを示し、図６は従来の育苗コンテナを示す平面図、図７は図６のＲ矢視図、図８は図６のＳ矢視図、図９は図６の下面図である。図１０は従来の育苗コンテナを積み重ねた状態を示す図８相当図である。図６から図９に示すように、硬質合成樹脂製の育苗コンテナ１００の矩形平板状の上板１０１には、複数（４０個）の円錐状の育成容器２００が、縦方向（図６の上下方向）及び横方向（図６の左右方向）に格子状に一体的に形成されている。育成容器２００は縦方向に５個、横方向に８個配置されている。
【０００４】
育成容器２００は、上板１０１から下方に向かって縮径する円錐状に形成され、最上部に開口部（図７参照）２０１が形成されている。育成容器２００の円錐状の側面２０２には、矩形溝状の複数の空気根切り孔２０３が形成されている。また、育成容器２００の円盤形の底面２０４には、格子状の空気根切り孔２０５が形成されている。上板１０１の下面１０２には、隣接する育成容器２００の側面２０２を連結する横方向（図６、図９の左右方向）の連結リブ３０１と、縦方向（図６、図９の上下方向）の連結リブ３０２が形成されている。図８に示すように、横方向の連結リブ３０１の高さＨ１は、縦方向の連結リブ３０２の高さＨ２よりも高く形成されている。また、最も外周側の育成容器２００のうち、角部に配置された４個の育成容器２００と、長い方の辺（横方向の辺）１０３、１０３に各々配置された２個の育成容器２００に、育成容器２００の側面２０２と上板１０１の下面１０２を連結する積み重ねリブ３０３が形成されている。積み重ねリブ３０３の高さＨ３は、横方向の連結リブ３０１の高さＨ１と同一に形成されている。
【０００５】
この従来の育苗コンテナ１００で苗木を育てる際には、図７、図８に示すように、コンクリートブロック４０１等の上に渡した２本の懸架棒４０２、４０２で育苗コンテナ１００を支持する。懸架棒４０２、４０２は、短い方の辺（縦方向の辺）１０４、１０４に平行に配置され、横方向の連結リブ３０１、３０１の下面を支持する。その結果、育成容器２００の底面２０４と地面４０３との間には所定の空間Ｇが空けられ、空気根切りを確実に行うことができる。育苗コンテナ１００では、懸架棒４０２、４０２で育苗コンテナ１００を支持した時に、育苗コンテナ１００の剛性を確保し、自重によって育苗コンテナ１００が大きく撓まないようにする必要がある。そのため、剛性が小さい長い方の辺（横方向の辺）１０３、１０３に平行な横方向の連結リブ３０１の高さＨ１を、剛性が比較的大きい短い方の辺（縦方向の辺）１０４、１０４に平行な縦方向の連結リブ３０２の高さＨ２よりも高く形成している。また、積み重ねリブ３０３の高さＨ３は、背が高い横方向の連結リブ３０１の高さＨ１に合わせている。
【０００６】
その結果、図１０に示すように、輸送等のために育苗コンテナ１００を積み重ねると、積み重ねた上側の育苗コンテナ１００が、下側の育苗コンテナ１００の上板１０１の上面１０５から積み重ねリブ３０３の高さＨ３だけ突出する。そのため、育苗コンテナ１００をコンパクトに積み重ねることが出来ず、輸送効率が低下していた。また、背が高く薄い横方向の連結リブ３０１と積み重ねリブ３０３があるため、育苗コンテナ１００を射出成形する金型の耐久性が低下していた。
【先行技術文献】
【特許文献】
【０００７】
【特許文献１】意匠登録第１５３５３２０号公報
【考案の概要】
【考案が解決しようとする課題】
【０００８】
本考案の目的は、育苗コンテナを成形するための金型の耐久性が向上し、輸送時にコンパクトに積み重ねることが出来る育苗コンテナを提供することにある。
【課題を解決するための手段】
【０００９】
前記課題は以下の手段によって解決される。
すなわち、本考案１の育苗コンテナは、矩形平板状の上板と、前記上板に縦方向及び横方向に格子状に一体的に形成され、下方に向かって縮径する複数の円錐状の育成容器と、前記育成容器の最上部に形成された開口部と、前記上板の下面に一体的に形成され、前記上板の対角線方向に隣接する前記育成容器の側面を連結する連結リブとを備えたことを特徴とする。
【００１０】
本考案２の育苗コンテナは、本考案１において、前記連結リブは、右上がりの連結リブと右下がりの連結リブが交差していることを特徴とする。
【００１１】
本考案３の育苗コンテナは、本考案２において、前記上板の縁部には、下方に向かって延びる縁リブが形成されていることを特徴とする。
【００１２】
本考案４の育苗コンテナは、本考案３において、前記上板の長い方の辺に形成された縁リブの高さが短い方の辺に形成された縁リブの高さよりも高く形成されていることを特徴とする。
【００１３】
本考案５の育苗コンテナは、本考案４において、前記上板の長い方の辺に形成された縁リブの高さが前記連結リブの高さと同一に形成されていることを特徴とする。
【００１４】
本考案６の育苗コンテナは、本考案１において、前記育成容器の側面及び底面には空気根切り孔が形成されていることを特徴とする。
【考案の効果】
【００１５】
本考案の育苗コンテナは、育成容器の側面を連結する連結リブが、上板の対角線方向に形成されて、対角線方向に隣接する育成容器を連結している。従って、連結リブは育苗コンテナの横方向と縦方向の両方の剛性を大きくする効果があるため、連結リブの高さを低くすることが可能となり、育苗コンテナを成形するための金型の耐久性が向上し、保管時や輸送時に育苗コンテナをコンパクトに積み重ねることが出来る。
【図面の簡単な説明】
【００１６】
【図１】図１は、本考案の実施の形態の育苗コンテナを示す平面図である。
【図２】図２は、図１のＰ矢視図である。
【図３】図３は、図１のＱ矢視図である。
【図４】図４は、図１の下面図である。
【図５】図５は、本考案の実施の形態の育苗コンテナを積み重ねた状態を示す図３相当図である。
【図６】図６は、従来の育苗コンテナを示す平面図である。
【図７】図７は、図６のＲ矢視図である。
【図８】図８は、図６のＳ矢視図である。
【図９】図９は、図６の下面図である。
【図１０】図１０は、従来の育苗コンテナを積み重ねた状態を示す図８相当図である。
【考案を実施するための形態】
【００１７】
以下、本考案の実施の形態を図面に基づいて説明する。図１は、本考案の実施の形態の育苗コンテナを示す平面図、図２は図１のＰ矢視図、図３は図１のＱ矢視図、図４は図１の下面図である。図５は、本考案の実施の形態の育苗コンテナを積み重ねた状態を示す図３相当図である。図１から図４に示すように、本考案の実施の形態の硬質合成樹脂製の育苗コンテナ１の矩形平板状の上板１１には、複数（４０個）の円錐状の育成容器２が縦方向（図１の上下方向）及び横方向（図１の左右方向）に格子状に一体的に形成されている。育成容器２は縦方向に５個、横方向に８個配置されている。
【００１８】
上板１１の縁部には、下方に向かって延びる縁リブ１６、１７が形成されている。長い方の辺（横方向の辺）１３、１３に形成された縁リブ１６、１６の高さＨ４は、短い方の辺（縦方向の辺）１４、１４に形成された縁リブ１７、１７の高さＨ５よりも高く形成されている。
【００１９】
育成容器２は、上板１１から下方に向かって縮径する円錐状に形成され、最上部に開口部（図２参照）２１が形成されている。育成容器２の円錐状の側面２２には、矩形溝状の複数の空気根切り孔２３が形成されている。また、育成容器２の円盤形の底面２４には、格子状の空気根切り孔２５が形成されている。上板１１の下面１２には、上板１１の対角線方向に隣接する育成容器２の側面２２を連結する連結リブ３１が形成されている。隣接する右上がりの連結リブ３１と右下がりの連結リブ３１は、各々の中央部で交差している。図２に示すように、連結リブ３１の高さＨ６は、縁リブ１６、１６の高さＨ４と同一に形成されている。育苗コンテナ１の射出成形が完了すると、金型から育苗コンテナ１を取り外す必要がある。連結リブ３１の交差部を押し出しロッドで押し出すようにすれば、連結リブ３１の交差部は剛性が大きいため、金型から育苗コンテナ１を円滑に取り外すことが可能となる。
【００２０】
また、最も外周側の育成容器２のうち、長い方の辺（横方向の辺）１３、１３に各々配置された８個の育成容器２に、上板１１の対角線方向に形成されて、育成容器２の側面２２と縁リブ１６、１６を連結する連結リブ３２が形成されている。隣接する右上がりの連結リブ３２と右下がりの連結リブ３２は、縁リブ１６に交差している。図２に示すように、連結リブ３２の高さＨ７は、背が高い縁リブ１６、１６の高さＨ４と同一に形成されている。さらに、最も外周側の育成容器２のうち、短い方の辺（縦方向の辺）１４、１４に各々配置された５個の育成容器２に、上板１１の対角線方向に形成されて、育成容器２の側面２２と縁リブ１７、１７を連結する連結リブ３３が形成されている。隣接する右上がりの連結リブ３３と右下がりの連結リブ３３は、縁リブ１７に交差している。図３に示すように、連結リブ３３の高さＨ８は、背が低い縁リブ１７、１７の高さＨ５と同一に形成されている。
【００２１】
最も外周側の育成容器２のうち、角部に配置された４個の育成容器２と、長い方の辺（横方向の辺）１３、１３に各々配置された２個の育成容器２に、育成容器２の側面２２と上板１１の下面１２を連結する積み重ねリブ３４が形成されている。積み重ねリブ３４の高さＨ９は、連結リブ３１の高さＨ６よりも高く形成されている。
【００２２】
本考案の実施の形態の育苗コンテナ１で苗木を育てる際には、図２、図３に示すように、コンクリートブロック４１等の上に渡した２本の懸架棒４２、４２で育苗コンテナ１を支持する。懸架棒４２、４２は、短い方の辺（縦方向の辺）１４、１４に平行に配置され、連結リブ３１、連結リブ３２、縁リブ１６の下面を支持する。その結果、育成容器２の底面２４と地面４３との間には所定の空間Ｇが空けられ、空気根切りを確実に行うことができる。本考案の実施の形態の育苗コンテナ１は、育成容器２の側面２２を連結する連結リブ３１が、上板１１の対角線方向に形成されて各々の中央部で交差し、対角線方向に隣接する育成容器２を連結している。従って、連結リブ３１は育苗コンテナ１の横方向と縦方向の両方の剛性を大きくする効果があるため、連結リブ３１の高さＨ６を、従来の育苗コンテナ１００の横方向の連結リブ３０１の高さＨ１よりも低くすることが可能となっている。
【００２３】
さらに、育苗コンテナ１の上板１１の縁部には、下方に向かって延びる縁リブ１６、１７を形成して、長い方の辺１３、１３に形成された縁リブ１６の高さＨ４を連結リブ３１の高さＨ６と同一にしている。従って、懸架棒４２、４２で育苗コンテナ１を支持した時に、育苗コンテナ１の剛性を大きくすることが可能となる。積み重ねリブ３４の高さＨ９は、連結リブ３１の高さＨ６よりも高く形成しているが、従来の育苗コンテナ１００の積み重ねリブ３０３の高さＨ３よりも低くすることが可能となっている。
【００２４】
その結果、図５に示すように、輸送等のために育苗コンテナ１を積み重ねた時の積み重ね高さ（下側の育苗コンテナ１の上板１１の上面１５からの突出高さ）Ｈ９を、従来の育苗コンテナ１００の積み重ね高さＨ３よりも小さくすることが可能となる。そのため、育苗コンテナ１をコンパクトに積み重ねることが出来るため、保管時のスペースが節約出来、輸送効率が向上する。また、連結リブ３１と積み重ねリブ３４の高さを従来の育苗コンテナ１００の連結リブ３０１と積み重ねリブ３０３よりも低くすることができるため、育苗コンテナ１を射出成形する金型の耐久性が向上する。
【００２５】
以上、本考案の実施の形態を説明したが、本考案はこの実施の形態に限定されることはない。例えば、上板１１の長い方の辺１３に形成された縁リブ１６の高さが短い方の辺１４に形成された縁リブ１７の高さよりも高く形成されているが、短い方の辺１４に形成された縁リブ１７の高さを高くして、長い方の辺１３に形成された縁リブ１６の高さと同一にしてもよい。また、本考案の実施の形態では、連結リブ３１、３２の高さＨ６を、縁リブ１６、１６の高さＨ４と同一に形成し、連結リブ３３の高さＨ８を縁リブ１７、１７の高さＨ５と同一に形成しているが、高さを異ならせて形成してもよい。さらに、本考案の実施の形態では、育成容器２は縦方向に５個、横方向に８個配置されているが、育成容器２の個数は限定されるものではなく、例えば、縦方向に４個、横方向に６個配置してもよい。
【符号の説明】
【００２６】
１…育苗コンテナ
１１…上板
１２…下面
１３…長い方の辺（横方向の辺）
１４…短い方の辺（縦方向の辺）
１５…上面
１６…縁リブ
１７…縁リブ
２…育成容器
２１…開口部
２２…側面
２３…空気根切り孔
２４…底面
２５…空気根切り孔
３１…連結リブ
３２…連結リブ
３３…連結リブ
３４…積み重ねリブ
４１…コンクリートブロック
４２…懸架棒
４３…地面
１００…育苗コンテナ
１０１…上板
１０２…下面
１０３…長い方の辺（横方向の辺）
１０４…短い方の辺（縦方向の辺）
１０５…上面
２００…育成容器
２０１…開口部
２０２…側面
２０３…空気根切り孔
２０４…底面
２０５…空気根切り孔
３０１…連結リブ
３０２…連結リブ
３０３…積み重ねリブ
４０１…コンクリートブロック
４０２…懸架棒
４０３…地面
【図１】
0003205361.tif 000003
【図２】
0003205361.tif 000004
【図３】
0003205361.tif 000005
【図４】
0003205361.tif 000006
【図５】
0003205361.tif 000007
【図６】
0003205361.tif 000008
【図７】
0003205361.tif 000009
【図８】
0003205361.tif 000010
【図９】
0003205361.tif 000011
【図１０】
0003205361.tif 000012